(57)【要約】【課題】縫製に必要な糸駒の位置をユーザに報知することが可能な報知装置及びミシンを提供する。【解決手段】糸駒には報知装置が取り付けられる。報知装置は発光部を備えている。ミシンは、縫製に必要な糸の種類の情報である第二糸種情報を送信する。ミシンから送信された第二糸種情報が報知装置によって受信されると（Ｓ３１：ＹＥＳ）、報知装置が取り付けられた糸駒に巻回されている糸の糸種の情報である第一糸種情報と、受信された第二糸種情報とが一致するか否かが判断される（Ｓ３４）。第一糸種情報と第二糸種情報とが一致する場合（Ｓ３４：ＹＥＳ）、報知装置の発光部が発光される（Ｓ３６）。これによって、縫製に必要な糸が巻回された糸駒の位置をユーザに報知することができる。【選択図】図１４
2012165807.tif 000002
【特許請求の範囲】
【請求項１】
糸駒に取り付けられる報知装置であって、
報知手段と、
前記糸駒に巻回された糸の種類の情報である第一糸種情報を記憶する糸種情報記憶手段と、
ミシンから無線通信で送信される、縫製に必要な糸の種類の情報である第二糸種情報を受信する糸種情報受信手段と、
前記糸種情報記憶手段に記憶された前記第一糸種情報と、前記糸種情報受信手段によって受信された前記第二糸種情報とが一致するか否かを判断する糸種情報判断手段と、
前記糸種情報判断手段によって前記第一糸種情報と前記第二糸種情報とが一致すると判断された場合に、前記報知手段がユーザに向けて報知するように制御する報知制御手段と
を備えたことを特徴とする報知装置。
【請求項２】
前記報知手段は、外部から視認可能に設けられたことを特徴とする請求項１に記載の報知装置。
【請求項３】
前記報知装置は、前記糸駒に巻回された糸の表面と同じ側に外周面を有する形状であり、
前記報知手段は、少なくとも前記外周面に設けられたことを特徴とする請求項１または２に記載の報知装置。
【請求項４】
前記報知装置は、前記ミシン又は複数の前記糸駒を載置する為の糸立装置が有する糸立棒に、前記糸駒と共に装着可能であることを特徴とする請求項１から３のいずれかに記載の報知装置。
【請求項５】
前記報知装置は、前記糸駒に形成されている糸立棒挿通孔に連通する孔部を備えたことを特徴とする請求項１から４のいずれかに記載の報知装置。
【請求項６】
前記報知装置は、前記糸駒に対して取り付け及び取り外し可能な着脱手段を備えたことを特徴とする請求項１から５のいずれかに記載の報知装置。
【請求項７】
前記糸種情報判断手段によって、前記第一糸種情報と前記第二糸種情報とが一致すると判断された場合に、前記第一糸種情報と前記第二糸種情報とが一致することを示す情報である一致情報を前記ミシンに無線通信で送信する一致情報送信手段を備えたことを特徴とする請求項１から６のいずれかに記載の報知装置。
【請求項８】
前記糸種情報記憶手段に記憶された前記第一糸種情報は、前記ミシンに備えられた、前記第一糸種情報を書き換える書き換え手段によって書き換え可能であることを特徴とする請求項１から７のいずれかに記載の報知装置。
【請求項９】
前記報知手段は、発光手段を有し、
前記報知制御手段は、前記糸種情報判断手段によって前記第一糸種情報と前記第二糸種情報とが一致すると判断された場合に、前記発光手段を発光させてユーザに報知することを特徴とする請求項１から８のいずれかに記載の報知装置。
【請求項１０】
複数の縫製の種類の情報である縫製種類情報と、縫製に必要な糸の種類の情報である第二糸種情報とを対応付けて記憶する縫製情報記憶手段と、
前記縫製情報記憶手段に記憶された前記縫製種類情報のうち、少なくとも１つの前記縫製種類情報を選択する選択手段と、
糸駒に取り付けられる報知装置であって、報知手段と、前記糸駒に巻回された糸の種類の情報である第一糸種情報を記憶する糸種情報記憶手段と、ミシンから無線通信で送信される前記第二糸種情報を受信する糸種情報受信手段と、前記糸種情報記憶手段に記憶された前記第一糸種情報と、前記糸種情報受信手段によって受信された前記第二糸種情報とが一致するか否かを判断する糸種情報判断手段と、前記糸種情報判断手段によって前記第一糸種情報と前記第二糸種情報とが一致すると判断された場合に、前記報知手段がユーザに向けて報知するように制御する報知制御手段とを備えた報知装置に対して、前記選択手段によって選択された前記縫製種類情報に対応付けられた前記第二糸種情報を無線通信で送信する糸種情報送信手段と
を備えたことを特徴とするミシン。
【請求項１１】
前記縫製情報記憶手段に記憶されている前記縫製種類情報は、複数の糸色で縫製される刺繍模様の情報であり、
前記縫製情報記憶手段に記憶されている前記第二糸種情報は、前記刺繍模様を夫々の糸色で縫製する順番の情報である順番情報に対応付けられており、
前記糸種情報送信手段は、前記報知装置に対して、前記選択手段によって選択された前記縫製種類情報に対応付けられた前記第二糸種情報を、前記順番情報に応じた順番で、無線通信で送信することを特徴とする請求項１０に記載のミシン。
【請求項１２】
前記報知装置は、前記糸種情報判断手段によって、前記第一糸種情報と前記第二糸種情報とが一致すると判断された場合に、前記第一糸種情報と前記第二糸種情報とが一致することを示す情報である一致情報を前記ミシンに無線通信で送信する一致情報送信手段を備え、
前記ミシンは、
前記一致情報送信手段によって送信される前記一致情報を受信する一致情報受信手段と、
前記一致情報受信手段によって前記一致情報が受信されたか否かを判断する一致情報判断手段と、
前記一致情報判断手段によって前記一致情報が受信されていないと判断された場合に、前記糸種情報送信手段によって送信された前記第二糸種情報が示す糸の糸色に近似した糸色を算出し、算出した糸色に対応する前記第二糸種情報を特定する近似色特定手段と
を備え、
前記糸種情報送信手段は、前記報知装置に対して、前記近似色特定手段によって特定された前記第二糸種情報を無線通信で送信することを特徴とする請求項１０または１１に記載のミシン。
【請求項１３】
前記報知装置の前記糸種情報記憶手段に記憶された前記第一糸種情報を書き換える書き換え手段を備えたことを特徴とする請求項１０から１２のいずれかに記載のミシン。
【発明の詳細な説明】
【技術分野】
【０００１】
本発明は、縫製に必要な糸駒の位置を報知する報知装置及びミシンに関する。
【背景技術】
【０００２】
従来、縫製に必要な糸駒の有無を検出するミシンが知られている。例えば、特許文献１に記載のミシンは、リーダライタの交信範囲にある糸駒に備えられた無線タグから糸情報を読み取る。読み取った糸情報から、模様の縫製が可能か否かを判断し、縫製が可能であれば、縫製を実行する。
【先行技術文献】
【特許文献】
【０００３】
【特許文献１】特開２００８−２２０６１５号公報
【発明の概要】
【発明が解決しようとする課題】
【０００４】
しかしながら、前記従来のミシンでは、無線タグから糸情報を読み取ることで、縫製に必要な糸駒の有無を検出できるものの、縫製に必要な糸駒の位置をユーザに報知することができなかった。このため、ユーザは、実際にどの糸駒を使用すればいいのか判断できない場合があるという問題点があった。
【０００５】
本発明の目的は、縫製に必要な糸駒の位置をユーザに報知することが可能な報知装置及びミシンを提供することである。
【課題を解決するための手段】
【０００６】
本発明の第１の態様に係る報知装置は、糸駒に取り付けられる報知装置であって、報知手段と、前記糸駒に巻回された糸の種類の情報である第一糸種情報を記憶する糸種情報記憶手段と、ミシンから無線通信で送信される、縫製に必要な糸の種類の情報である第二糸種情報を受信する糸種情報受信手段と、前記糸種情報記憶手段に記憶された前記第一糸種情報と、前記糸種情報受信手段によって受信された前記第二糸種情報とが一致するか否かを判断する糸種情報判断手段と、前記糸種情報判断手段によって前記第一糸種情報と前記第二糸種情報とが一致すると判断された場合に、前記報知手段がユーザに向けて報知するように制御する報知制御手段とを備えている。
【０００７】
この場合、糸種情報判断手段によって、第一糸種情報と第二糸種情報とが一致すると判断された場合に、報知手段がユーザに向けて報知するように制御される。つまり、糸駒に巻回された糸の種類が、ミシンが縫製を実行するのに必要な糸の種類と一致する場合に、ユーザに向けて報知される。このように、縫製に必要な糸が巻回された糸駒の位置をユーザに報知することができる。よってユーザの利便性が向上する
【０００８】
前記報知装置において、前記報知手段は、外部から視認可能に設けられてもよい。この場合、報知手段が外部から視認可能に設けられている。このため、例えば、報知手段が発光素子であったり、文字等を表示可能な表示素子であったりした場合に、ユーザに向けて確実に報知することができる。
【０００９】
前記報知装置は、前記糸駒に巻回された糸の表面と同じ側に外周面を有する形状であり、前記報知手段は、少なくとも前記外周面に設けられてもよい。この場合、例えば、報知装置が取り付けられた糸駒が、複数積み上げられた場合でも、報知装置の外周面は、外部から視認可能である。このため、例えば、報知手段が発光素子であったり、文字等を表示可能な表示素子であったりした場合に、ユーザに向けて確実に報知することができる。
【００１０】
前記報知装置は、前記ミシン又は複数の前記糸駒を載置する為の糸立装置が有する糸立棒に、前記糸駒と共に装着可能であってもよい。この場合、報知装置を糸駒に取り付けた状態で、糸立棒に装着可能である。よって、例えば、縫製を行う場合に、報知装置を糸駒から取り外す必要がなく、ユーザの利便性が向上する。
【００１１】
前記報知装置は、前記糸駒に形成されている糸立棒挿通孔に連通する孔部を備えてもよい。この場合、糸立棒挿通孔と孔部とが連通しているので、糸立棒を糸立棒挿通孔と孔部とに挿入可能である。このため、報知装置を糸駒に取り付けた状態で、糸立棒に装着可能である。よって、例えば、縫製を行う場合に、報知装置を糸駒から取り外す必要がなく、ユーザの利便性が向上する。
【００１２】
前記報知装置は、前記糸駒に対して取り付け及び取り外し可能な着脱手段を備えてもよい。この場合、報知装置は、糸駒に対して取り付け及び取り外し可能である。このため、例えば、糸駒に巻回された糸が消費されて無くなった場合に、報知装置を糸駒から取り外し、他の糸駒に報知装置を取り付けることができる。
【００１３】
前記報知装置は、前記糸種情報判断手段によって、前記第一糸種情報と前記第二糸種情報とが一致すると判断された場合に、前記第一糸種情報と前記第二糸種情報とが一致することを示す情報である一致情報を前記ミシンに無線通信で送信する一致情報送信手段を備えてもよい。この場合、第一糸種情報と第二糸種情報とが一致したことを、ミシンに対して報知することができる。このため、例えば、ミシンは、縫製に必要な糸の有無を確認することができる。
【００１４】
前記報知装置において、前記糸種情報記憶手段に記憶された前記第一糸種情報は、前記ミシンに備えられた、前記第一糸種情報を書き換える書き換え手段によって書き換え可能であってもよい。この場合、糸駒に巻回された糸の種類に応じて、第一糸種情報を書き換えることができる。
【００１５】
前記報知装置において、前記報知手段は、発光手段を有し、前記報知制御手段は、前記糸種情報判断手段によって前記第一糸種情報と前記第二糸種情報とが一致すると判断された場合に、前記発光手段を発光させてユーザに報知してもよい。この場合、報知手段を発光させることで、ユーザに向けて報知することができる。
【００１６】
本発明の第２の態様に係るミシンは、複数の縫製の種類の情報である縫製種類情報と、縫製に必要な糸の種類の情報である第二糸種情報とを対応付けて記憶する縫製情報記憶手段と、前記縫製情報記憶手段に記憶された前記縫製種類情報のうち、少なくとも１つの前記縫製種類情報を選択する選択手段と、糸駒に取り付けられる報知装置であって、報知手段と、前記糸駒に巻回された糸の種類の情報である第一糸種情報を記憶する糸種情報記憶手段と、ミシンから無線通信で送信される前記第二糸種情報を受信する糸種情報受信手段と、前記糸種情報記憶手段に記憶された前記第一糸種情報と、前記糸種情報受信手段によって受信された前記第二糸種情報とが一致するか否かを判断する糸種情報判断手段と、前記糸種情報判断手段によって前記第一糸種情報と前記第二糸種情報とが一致すると判断された場合に、前記報知手段がユーザに向けて報知するように制御する報知制御手段とを備えた報知装置に対して、前記選択手段によって選択された前記縫製種類情報に対応付けられた前記第二糸種情報を無線通信で送信する糸種情報送信手段とを備えている。
【００１７】
この場合、選択手段によって選択された縫製種類情報に対応つけられた第二糸種情報が、糸種情報送信手段によって報知装置に対して送信され、報知装置の糸種情報受信手段によって受信される。そして、報知装置の糸種情報判断手段によって、第一糸種情報と第二糸種情報とが一致すると判断された場合に、報知手段がユーザに向けて報知するように制御される。つまり、糸駒に巻回された糸の種類が、ミシンが縫製を実行するのに必要な糸の種類と一致する場合に、ユーザに向けて報知される。このように、縫製に必要な糸が巻回された糸駒の位置をユーザに報知することができる。よってユーザの利便性が向上する。
【００１８】
前記ミシンは、前記縫製情報記憶手段に記憶されている前記縫製種類情報は、複数の糸色で縫製される刺繍模様の情報であり、前記縫製情報記憶手段に記憶されている前記第二糸種情報は、前記刺繍模様を夫々の糸色で縫製する順番の情報である順番情報に対応付けられており、前記糸種情報送信手段は、前記報知装置に対して、前記選択手段によって選択された前記縫製種類情報に対応付けられた前記第二糸種情報を、前記順番情報に応じた順番で、無線通信で送信してもよい。この場合、刺繍模様は、複数種類の糸で縫製される。刺繍模様の縫製を行う順番で、第二糸種情報が報知装置に送信される。そして、第二糸種情報と第一糸種情報とが一致した報知装置の報知制御手段によって、ユーザに向けて報知される。このため、刺繍模様を縫製する際に必要な糸が巻回された糸駒の位置を、縫製を行う順番で、ユーザに向けて報知することができる。ユーザは、報知された順番に、糸駒をミシンに装着して、刺繍模様の縫製を行うことができる。このため、ユーザの利便性が向上する。
【００１９】
前記ミシンにおいて、前記報知装置は、前記糸種情報判断手段によって、前記第一糸種情報と前記第二糸種情報とが一致すると判断された場合に、前記第一糸種情報と前記第二糸種情報とが一致することを示す情報である一致情報を前記ミシンに無線通信で送信する一致情報送信手段を備え、前記ミシンは、前記一致情報送信手段によって送信される前記一致情報を受信する一致情報受信手段と、前記一致情報受信手段によって前記一致情報が受信されたか否かを判断する一致情報判断手段と、前記一致情報判断手段によって前記一致情報が受信されていないと判断された場合に、前記糸種情報送信手段によって送信された前記第二糸種情報が示す糸の糸色に近似した糸色を算出し、算出した糸色に対応する前記第二糸種情報を特定する近似色特定手段とを備え、前記糸種情報送信手段は、前記報知装置に対して、前記近似色特定手段によって特定された前記第二糸種情報を無線通信で送信してもよい。
【００２０】
この場合において、一致情報判断手段によって一致情報が受信されていないと判断される場合とは、糸種情報送信手段によって送信された第二糸種情報に対応する糸駒が無い場合である。この場合に、近似色特定手段が、近似した糸色に対応した第二糸種情報を新たに特定し、糸種情報送信手段が、新たに特定された第二糸種情報を送信する。これによって、縫製に使用される糸が巻回された糸駒が無い場合に、近似した糸色の糸が巻回された糸駒の位置をユーザに向けて報知することができる。
【００２１】
前記ミシンは、前記報知装置の前記糸種情報記憶手段に記憶された前記第一糸種情報を書き換える書き換え手段を備えてもよい。この場合、糸駒に巻回された糸の種類に応じて、第一糸種情報を書き換えることができる。
【図面の簡単な説明】
【００２２】
【図１】ミシン１を示す斜視図である。
【図２】針棒６、縫針７、押え棒４５、及び押え足４７と、その近傍を示す要部左側面図である。
【図３】報知装置３０が糸駒２９に取り付けられる前の、糸駒２９と報知装置３０を示す図である。
【図４】報知装置３０が糸駒２９に取り付けられた後の、糸駒２９と報知装置３０とを示す図である。
【図５】糸駒２９及び報知装置３０が装着された糸立棒１９周辺の構造を示す図である。
【図６】ミシン１の電気的構成を示す模式図である。
【図７】報知装置３０の電気的構成を示す模式図である。
【図８】糸種データテーブル９５を示す模式図である。
【図９】縫製種類情報データテーブル９６を示す模式図である。
【図１０】液晶ディスプレイ１５に表示される画像の一例を示す図である。
【図１１】第一設定処理を示すフローチャートである。
【図１２】第二設定処理を示すフローチャートである。
【図１３】糸駒群３１を示す図である。
【図１４】報知処理を示すフローチャートである。
【図１５】糸駒２９１に取り付けられた報知装置３０の発光部３０３が発光した場合の糸駒群３１を示す図である。
【図１６】メイン処理を示すフローチャートである。
【図１７】縫製糸種データテーブル９７を示す模式図である。
【図１８】近似色置換処理を示すフローチャートである。
【図１９】未受信糸種データテーブル９８を示すフローチャートである。
【図２０】縫製糸種データテーブル９７を示す模式図である。
【図２１】糸駒装着処理を示すフローチャートである。
【図２２】液晶ディスプレイ１５に表示される画像の一例を示す図である。
【図２３】液晶ディスプレイ１５に表示される画像の一例を示す図である。
【図２４】糸立装置５０を示す斜視図である。
【発明を実施するための形態】
【００２３】
以下、実施の形態について、図面を参照して説明する。まず、ミシン１の構成について、図１及び図２を参照して説明する。図１において、ユーザが位置する側をミシン１の前方、その反対側を後方とする。ミシン１のユーザから見た左右方向をミシン１の左右方向とする。
【００２４】
図１に示すように、ミシン１は、ミシンベッド１１と、脚柱部１２と、アーム部１３と、頭部１４とを備える。ミシンベッド１１は、ミシン１の土台であって左右方向に延びるように設けられる。脚柱部１２は、ミシンベッド１１の右端部から上方へ立設されている。アーム部１３は、脚柱部１２の上端から左方へ延びる。頭部１４は、アーム部１３の左先端部に設けられている。ミシンベッド１１の上面には、針板（図示せず）が配設されている。針板の下のミシンベッド１１内には、送り歯（図示せず）と、布送り機構（図示せず）と、送り量調整用パルスモータ７８（図６参照）と、釜機構（図示せず）とが設けられている。送り歯は、縫製される加工布を所定の送り量で移動させる。布送り機構は、送り歯を駆動する。送り量調整用パルスモータ７８は、送り量を調整する。
【００２５】
ミシンベッド１１の上には、加工布１００を保持する刺繍枠３４が配置される。刺繍枠３４の内側の領域は、刺繍模様の縫目が形成可能な刺繍領域である。刺繍枠３４を移動させる刺繍枠移動装置９２は、ミシンベッド１１に着脱可能である。刺繍枠移動装置９２の上部には、前後方向に延びるキャリッジカバー３５が設けられる。キャリッジカバー３５の内部には、Ｙ軸移動機構（図示せず）が設けられている。Ｙ軸移動機構は、キャリッジ（図示せず）をＹ方向（前後方向）に移動させる。刺繍枠３４は、キャリッジに着脱可能である。キャリッジの右方には、刺繍枠３４を装着する装着部（図示せず）が設けられている。装着部は、キャリッジカバー３５の右側面よりも右方に突出している。装着部に、刺繍枠３４の左側に設けられた取付部（図示せず）が装着される。キャリッジ、Ｙ軸移動機構、及びキャリッジカバー３５は、Ｘ軸移動機構（図示せず）によって、Ｘ方向（左右方向）に移動する。Ｘ軸移動機構は、刺繍枠移動装置９２の本体内に設けられている。これによって、刺繍枠３４がＸ方向に移動する。
【００２６】
Ｘ軸移動機構とＹ軸移動機構は、夫々、Ｘ軸モータ８３（図６参照）及びＹ軸モータ８４（図６参照）によって駆動される。刺繍枠３４がＸ方向及びＹ方向に移動されながら、針棒６（図２参照）や釜機構（図示せず）が駆動される。このようにして、刺繍枠３４に保持された加工布１００に対して所定の刺繍模様を形成する模様形成動作が実行される。本実施形態では、ステップＳ５７の処理（図１６参照、後述）で、刺繍縫製が実行される。刺繍模様ではない通常模様が縫製される場合には、刺繍枠移動装置９２はミシンベッド１１から取り外される。そして、送り歯により加工布が移動されながら、通常縫製が行われる。刺繍枠３４は、内枠と外枠とで加工布１００を挟持して保持する周知の構成のものであり、詳しい説明は省略する。
【００２７】
脚柱部１２の前面には、縦長の長方形形状を有する液晶ディスプレイ１５が設けられている。液晶ディスプレイ１５には、複数種類の模様、各種の機能を実行させるための機能名、各種のメッセージ等が表示される。
【００２８】
液晶ディスプレイ１５の前面には、透明のタッチパネル２６が設けられている。液晶ディスプレイ１５に表示された画面に対応するタッチパネル２６の部位を、指や専用のタッチペンを用いて触れることによって、各種の操作や設定を実行することができる。以下、タッチパネル２６に触れる操作を「パネル操作」と言う。
【００２９】
アーム部１３の構成について説明する。アーム部１３の上部には、開閉する開閉カバー１６が取り付けられている。開閉カバー１６は、アーム部１３の長手方向に設けられている。開閉カバー１６は、アーム部１３の上後端部に左右方向の軸回りに開閉可能に軸支されている。開閉カバー１６を開けた状態の、アーム部１３の上部中央近傍には、糸収容部１８が設けられている。糸収容部１８は、ミシン１に糸２８（図５参照）を供給する糸駒２９を収容するための凹部である。糸収容部１８内部の構造については、後述する。
【００３０】
糸駒２９から延びる糸２８は、図示しない糸調子器及び糸取バネ、天秤等を含む糸掛部を経由して、縫針７（図２参照）に供給される。糸調子器は、頭部１４に設けられ、糸張力を調整する。天秤は、上下に往復駆動して糸２８を引き上げる。縫針７は、針棒６に装着される。針棒６は、頭部１４内に設けられた針棒上下動機構（図示せず）により、上下動するように駆動される。針棒上下動機構は、ミシンモータ７９（図６参照）により回転駆動される主軸（図示せず）により駆動される。
【００３１】
アーム部１３の前面下部には、縫製開始・停止スイッチ２１等を含むスイッチ群２５が設けられている。縫製開始・停止スイッチ２１は、ミシン１の運転を開始又は停止させる、即ち、縫製開始又は停止を指示するのに使用される。
【００３２】
図２に示すように、頭部１４の下側には、針棒６と押え棒４５とが設けられている。針棒６の下端部には縫針７が固定されている。押え棒４５の下端部には加工布を押える押え足４７が固定されている。
【００３３】
図３及び図４を参照して、糸２８が巻回された糸駒２９と、糸駒２９に取り付けられる報知装置３０とについて説明する。図３及び図４において、紙面上側及び下側を、それぞれ糸駒２９及び報知装置３０の上側及び下側と定義して説明する。
【００３４】
図３に示すように、糸駒２９は、糸２８が巻回された略円筒形状をしており、その上端及び下端にはフランジ部が設けられている。糸駒２９は、平面視で中央に、上下方向に糸駒２９を貫通する糸立棒挿通孔２９８を備えている。
【００３５】
報知装置３０は、上下方向に短い円盤状の形状をした本体部３０１を備えている。本体部３０１には、その平面視中央に、上下方向に貫通する孔部３０２が備えられている。本体部３０１の外周方向の面である外周面３０４には、発光部３０３が設けられている。本実施形態では、発光部３０３が外周面３０４全体に亘って設けられている。発光部３０３は、例えば、可撓性を有する薄型の発光素子で形成される。
【００３６】
報知装置３０は、下方向に突出する着脱部３０５を備えている。着脱部３０５は、２本の細い金属線材であって、弾性変形可能なバネ材料からなる。着脱部３０５は、下方向ほど外側に拡がる形状に形成されている。図４に示すように、報知装置３０は、糸駒２９に取り付けられる。報知装置３０が糸駒２９に取り付けられる場合には、着脱部３０５が、糸駒２９の糸立棒挿通孔２９８に挿入される。このとき、着脱部３０５の下端部は、糸立棒挿通孔２９８に挿入されて内側に押され、間隔が狭くなるように弾性変形するので、外側に拡がる方向に弾性力が作用する。この弾性力によって、報知装置３０は糸駒２９に保持される。報知装置３０が糸駒２９に取り付けられた状態では、糸駒２９の糸立棒挿通孔２９８と報知装置３０の孔部３０２とは連通している。また、報知装置３０を糸駒２９から取り外すときには、前記弾性力に抗して、報知装置３０を糸駒２９から引き離すようにする。
【００３７】
図１及び図５を参照して、糸収容部１８内部の構造、及び、糸駒２９と報知装置３０との糸収容部１８への取り付け態様について説明する。図１に示すように、糸収容部１８の脚柱部１２側の内壁面には、頭部１４に向う方向（左方向）に突出する糸立棒１９が配設されている。図５に示すように、糸立棒１９の右側の端部には、糸立棒１９を支持する支持部１９１が設けられている。図１及び図５に示すように、糸立棒１９の右部には、円盤形状のリーダライタ８１が設けられている。ミシン１はリーダライタ８１を使用して、糸駒２９に取り付けられた報知装置３０と無線通信を行い、報知装置３０に対して情報の読取り又は書込みを行うことができる。リーダライタ８１の通信範囲は、数ｃｍ（例えば、１０ｃｍ）程度である。リーダライタ８１は、糸立棒１９及び支持部１９１の内部に設けられた電気配線を介して制御部６０（図６参照）と接続されている。
【００３８】
糸立棒１９には、糸駒２９と報知装置３０とが装着される。糸駒２９の糸立棒挿通孔２９８と報知装置３０の孔部３０２とは連通しているため、報知装置３０を糸駒２９に取り付けた状態で、糸立棒１９に取り付けることが可能である。
【００３９】
図６を参照して、ミシン１の電気的構成について説明する。まず、ミシン１の電気的構成について説明する。図６に示すように、ミシン１の制御部６０は、ＣＰＵ６１，ＲＯＭ６２，ＲＡＭ６３，ＥＥＰＲＯＭ６４、入出力インターフェイス６５を備え、これらはバス６７により相互に接続されている。ＲＯＭ６２は、プログラム記憶領域６２１、糸種情報記憶領域６２２、及び縫製種類情報記憶領域６２３を少なくとも備えている。プログラム記憶領域６２１には、ＣＰＵ６１に処理を実行させるためのプログラムデータが記憶されている。糸種情報記憶領域６２２には、後述する糸種データテーブル９５が記憶されている。縫製種類情報記憶領域６２３には、後述する縫製種類情報データテーブル９６が記憶されている。
【００４０】
ＲＡＭ６３は、縫製糸種記憶領域６３１及び未受信糸種記憶領域６３２を少なくとも備えている。縫製糸種記憶領域６３１には、後述する縫製糸種データテーブル９７が記憶される。未受信糸種記憶領域６３２には、後述する未受信糸種データテーブル９８が記憶される。
【００４１】
入出力インターフェイス６５には、縫製開始・停止スイッチ２１、タッチパネル２６、アンテナ２７、駆動回路７１，７２，７４，７５，８５，８６，及び８７が電気的に接続されている。駆動回路７１は、送り量調整用パルスモータ７８を駆動させる。駆動回路７２は、ミシンモータ７９を駆動させる。駆動回路７４は、針振り・針棒釈放パルスモータ８０を駆動させる。針振り・針棒釈放パルスモータ８０は、針棒６を揺動駆動したり、針棒６を釈放動作させたりする。駆動回路７５は、液晶ディスプレイ１５を駆動させる。駆動回路８５及び８６は、刺繍枠３４を移動させるＸ軸モータ８３及びＹ軸モータ８４を夫々駆動する。駆動回路８７は、リーダライタ８１を駆動させる。縫製開始・停止スイッチ２１はボタン式スイッチである。アンテナ２７の通信範囲は、数ｍ（例えば、１０ｍ）である。ＣＰＵ６１はアンテナ２７を介して、報知装置３０と無線通信を行うことができる。
【００４２】
図７を参照して報知装置３０の電気的構成について説明する。図７に示すように、報知装置３０は、アンテナ３１４、発光部３０３、電池３１６、及びＩＣ回路部３０９を備える。ＩＣ回路部３０９は、クロック抽出部３１２、変復調部３１３、メモリ部３１１、電源部３１５、及び制御部３１０を備えている。アンテナ３１４には、クロック抽出部３１２及び変復調部３１３が電気的に接続されている。電池３１６には、電源部３１５が接続されている。電源部３１５は、電池３１６から供給される電力を使用して、各種回路に電力を供給する。制御部３１０には、発光部３０３、クロック抽出部３１２、変復調部３１３、及びメモリ部３１１が電気的に接続されている。
【００４３】
アンテナ３１４は、ミシン１が備えるリーダライタ８１（図６参照）が有するアンテナ（図示外）との間、又は、ミシン１が備えるアンテナ２７との間で、無線通信によって各種情報の送受信を行う。
【００４４】
クロック抽出部３１２は、アンテナ３１４によって受信された搬送波からクロック信号を抽出して制御部３１０に供給する。変復調部３１３は、ミシン１から搬送波に乗せて送信され、アンテナ３１４によって受信された受信信号の復調を行うと共に、制御部３１０からの応答信号に基づき、受信された搬送波を変調反射する。制御部３１０は、変復調部３１３によって復調された受信信号を読み取り、メモリ部３１１に記憶された情報に基づいて信号を生成し、変復調部３１３等を介して送信する等、報知装置３０の基本的な作動を制御する。
【００４５】
メモリ部３１１は、所定の情報を記憶し得る情報記憶手段として機能する。メモリ部３１１は、プログラム記憶領域３１１１、第一糸種情報記憶領域３１１２を少なくとも備えている。プログラム記憶領域３１１１は、制御部３１０が処理を実行するためのプログラム等が記憶されている。第一糸種情報記憶領域３１１２には、後述するステップＳ２２の処理（図１２参照）において、第一糸種情報が記憶される。糸種とは、糸の種類である。第一糸種情報は、報知装置３０が取り付けられた糸駒２９に巻回されている糸２８の糸種の情報である。以上のように構成された報知装置３０は、ミシン１のアンテナ２７又はリーダライタ８１を介して送信された信号に応じて、情報の読取りまたは書込みを行うことができる。
【００４６】
図８を参照して、糸種データテーブル９５について説明する。糸種データテーブル９５は、ミシン１の糸種情報記憶領域６２２に記憶されている。糸種データテーブル９５には、糸種に関する情報が記憶されている。図８に示すように、糸種データテーブル９５には、糸種情報、メーカ、糸色、及び番手が対応つけられて記憶されている。糸種情報は、糸２８の種類の情報であり、本実施形態では、一例として、糸２８の品番であるとする。メーカは、糸を製造したメーカを示している。番手は、糸２８の太さを表しており、数値が大きいほど、糸２８が細くなる。なお、糸色は、説明を分かり易くするために色の名称で示しているが、実際にはＲＧＢ値として記憶されている。
【００４７】
糸種データテーブル９５には、糸種情報、メーカ、糸色、及び番手の順に、「９００」、「Ｂ社」、「ＢＬＡＣＫ」、及び「５０」が対応付けられ、「００１」、「Ｂ社」、「ＷＨＩＴＥ」、及び「５０」が対応付けられている。「８００」、「Ｂ社」、「ＰＩＮＫ」、及び「５０」が対応付けられ、「４０５」、「Ｂ社」、「ＳＡＬＭＯＮ−ＰＩＮＫ」、及び「５０」が対応付けられている。「２０５」、「Ｂ社」、「ＹＥＬＬＯＷ」、及び「５０」が対応付けられ、「５０７」、「Ｃ社」、「ＧＲＥＥＮ」、及び「５０」が対応付けられている。「７０４」、「Ｃ社」、「ＧＲＥＥＮＩＳＨ  ＹＥＬＬＯＷ」、及び「６０」が対応付けられ、「３３９」、「Ｄ社」、「ＢＬＵＬＥ」、及び「６０」が対応付けられている。なお、図８には、一部の糸種に関する情報のみを記載している。
【００４８】
図９を参照して、縫製種類情報データテーブル９６について説明する。縫製種類情報データテーブル９６は、ミシン１の縫製種類情報記憶領域６２３に記憶されている。縫製種類情報データテーブル９６には、縫製種類情報が記憶されている。縫製種類情報は、縫製の種類別の情報である。縫製種類情報には、その種類の縫製を実行するための縫製順と、第二糸種情報とが対応付けられている。第二糸種情報は、縫製に必要な糸２８の種類の情報である。例えば、第二刺繍情報「８００」は、糸種データテーブル９５（図８参照）の糸種情報「８００」に対応している。すなわち、縫製に必要な糸２８が、メーカ「Ｂ社」、糸色「ＰＩＮＫ」、番手「５０」の糸２８であることを示している。
【００４９】
図９に示すように、縫製種類情報データテーブル９６には、縫製種類情報として、第一刺繍情報と第二刺繍情報とが少なくとも記憶されている。第一刺繍情報には、縫製順、第二糸種情報の順に、「１」と「８００」とが対応付けられ、「２」と「３３９」とが対応付けられ、「３」と「９００」とが対応付けられている。第二刺繍情報には、「１」と「４０５」とが対応付けられ、「２」と「２０５」とが対応付けられ、「３」と「５０７」とが対応付けられ、「４」と「３３９」とが対応付けられている。
【００５０】
第一刺繍情報と第二刺繍情報は、共に、所定の刺繍模様の種類の情報であり、刺繍模様の形状等の情報が含まれている。例えば、第一刺繍情報に基づいて、縫製順に対応する順番で、第二糸種情報「８００」、「３３９」、「９００」の糸２８が使用されて縫製が実行されると、刺繍模様が完成する。第一刺繍情報に基づいて縫製される刺繍模様が、図１０に示す「ＡＢＣ」が斜めに傾いた刺繍模様（以下、刺繍模様「ＡＢＣ」という。）であるとする。また、刺繍模様「ＡＢＣ」のうち、模様「Ａ」は、糸色が「ＰＩＮＫ」である第二糸種情報「８００」の糸２８が使用されて縫製されるとする。また、模様「Ｂ」は、糸色が「ＢＬＵＥ」である第二糸種情報「３３９」の糸２８が使用されて縫製されるとする。また、模様「Ｃ」は、糸色が「ＢＬＡＣＫ」である第二糸種情報「９００」の糸２８が使用されて縫製されるとする。
【００５１】
図１０を参照して、液晶ディスプレイ１５に表示される画像の一例について説明する。図１０は、ステップＳ４９の処理（図１６参照、後述）で、第一刺繍情報が縫製を行う刺繍情報として決定された場合に、ステップＳ５０の処理（図１６参照）で表示される画像である。図１０に示すように、液晶ディスプレイ１５の上部には、刺繍模様表示領域１５１が表示されている。刺繍模様表示領域１５１には、第一刺繍情報に基づく刺繍模様「ＡＢＣ」が表示されている。縫製が実行されると、加工布１００に刺繍模様「ＡＢＣ」が縫製される（図１６のＳ５７参照、後述）。
【００５２】
刺繍模様「ＡＢＣ」のうち、模様「Ａ」の糸色は「ＰＩＮＫ」であり、模様「Ｂ」の糸色は「ＢＬＵＥ」であり、模様「Ｃ」の糸色は「ＢＬＡＣＫ」である。このため、刺繍模様表示領域１５１には、それぞれに対応した色で表示されている。
【００５３】
刺繍模様表示領域１５１の下方には、刺繍模様「ＡＢＣ」に使用される糸２８の糸色を表示する糸色表示領域１５２が設けられている。糸色表示領域１５２には、糸駒２９の外形を表わした糸駒表示１５３が表示されている。糸駒表示１５３は、使用される糸色に対応した色で表示されている。糸駒表示１５３の右側には、糸色の名称を表示した糸色表示１５４が表示されている。本実施形態では、糸色「ＰＩＮＫ」「ＢＬＵＥ」「ＢＬＡＣＫ」が使用されるので、糸色表示１５４には「ＰＩＮＫ」「ＢＬＵＥ」「ＢＬＡＣＫ」が表示され、糸駒表示１５３の色は、「ＰＩＮＫ」、「ＢＬＵＥ」、「ＢＬＡＣＫ」の色で表示される。ユーザは、刺繍模様表示領域１５１を確認することで、縫製が実行される刺繍模様を確認することができる。また、糸色表示領域１５２を確認することで、縫製に使用される糸色を確認することができる。
【００５４】
図１１及び図１２を参照して、報知装置３０の第一糸種情報記憶領域３１１２に第一糸種情報を記憶させる処理について説明する。まず、図１１を参照して、ミシン１のＣＰＵ６１による第一設定処理について説明する。第一設定処理は、ユーザが糸駒２９と報知装置３０とを糸立棒１９に設置した後、報知装置３０に第一糸種情報を記憶させる処理を実行する指示をパネル操作等によって入力したことによって開始される。
【００５５】
図１１に示すように、まず、糸種を選択するための画面が液晶ディスプレイ１５に表示される（Ｓ１１）。ステップＳ１１では、糸種データテーブル９５（図８参照）が参照され、糸種情報の一覧が表示される。ユーザは、糸立棒１９に設置した糸駒２９に記載されている品番を参照し、パネル操作によって糸種情報の一覧から対応する糸種情報を選択する。
【００５６】
次いで、ユーザによって糸種情報が選択されたか否かが判断される（Ｓ１２）。糸種情報が選択されていない場合（Ｓ１２：ＮＯ）、処理はステップＳ１２に戻る。糸種情報が選択された場合（Ｓ１２：ＹＥＳ）、選択された糸種情報が、リーダライタ８１を介して、報知装置３０に送信される（Ｓ１３）。送信された糸種情報は、報知装置３０のステップＳ２１（図１２参照）で受信され、ステップＳ２２（図１２参照）で、第一糸種情報として記憶される。つまり、ステップＳ１３の処理によって、報知装置３０の第一糸種情報を書き換えることができる。次いで、第一設定処理が終了される。
【００５７】
次に、図１２を参照して、報知装置３０の制御部３１０による第二設定処理について説明する。第二設定処理は、ミシン１から送信された糸種情報を、第一糸種情報として記憶する処理である。
【００５８】
図１２に示すように、まず、ミシン１のステップＳ１３で送信された糸種情報が受信されたか否かが判断される（Ｓ２１）。糸種情報が受信されていない場合（Ｓ２１：ＮＯ）、処理はステップＳ２１に戻る。糸種情報が受信された場合（Ｓ２１：ＹＥＳ）、受信された糸種情報が、第一糸種情報として、第一糸種情報記憶領域３１１２に記憶される（Ｓ２２）。これによって、報知装置３０に、報知装置３０が取り付けられた糸駒２９に巻回されている糸２８の糸種情報が設定される。
【００５９】
次に、図１３に示す糸駒群３１が、ミシン１が載置される作業テーブル（図示外）の上に載置されている場合を具体例として説明する。糸駒群３１は、この場合、報知装置３０が取り付けられた６個の糸駒２９１〜２９６である。作業テーブルの上には、糸駒２９１，２９４，２９５，２９６が載置されている。糸駒２９１の上には、糸駒２９２が載置されている。糸駒２９４と糸駒２９５との上には、糸駒２９３が載置されている。
【００６０】
糸駒２９１〜２９６は、それぞれ異なる糸種の糸２８が巻回された糸駒２９である。糸駒２９１〜２９６のそれぞれに取り付けられた報知装置３０には、ステップＳ２２の処理（図１２参照）によって第一糸種情報が記憶されている。糸駒２９１に取り付けられた報知装置３０に記憶されている第一糸種情報は「４０５」である。これは、糸種データテーブル９５（図８参照）に示すように、糸種情報「４０５」、メーカ「Ｂ社」、糸色「ＳＡＬＭＯＮ−ＰＩＮＫ」、番手「５０」の糸２８が、糸駒２９１に巻回されていることを示している。同様に、糸駒２９２に取り付けられている報知装置３０には、第一糸種情報「５０７」が記憶され、糸駒２９３に取り付けられている報知装置３０には、第一糸種情報「８００」が記憶されている。糸駒２９４に取り付けられている報知装置３０には、糸種情報「９００」が記憶され、糸駒２９５に取り付けられている報知装置３０には、糸種情報「００１」が記憶されている。糸駒２９６に取り付けられている報知装置３０には、糸種情報「３３９」が記憶されている。
【００６１】
図１４を参照して、報知装置３０の制御部３１０による報知処理について説明する。報知処理は、ユーザに対して糸駒２９の位置を報知したり、ミシン１に対して第二糸種情報と第一糸種情報とが一致したことを報知したりする処理である。
【００６２】
図１４に示すように、まず、ミシン１で実行されるステップＳ４４（図１６参照）、ステップＳ６５（図１８参照）、及びステップＳ８１（図２１参照）で送信される第二糸種情報が受信されたか否かが判断される（Ｓ３１）。第二糸種情報が受信されていない場合（Ｓ３１：ＮＯ）、ステップＳ８３（図２１参照）で送信される糸種送信命令情報が受信されたか否かが判断される（Ｓ３２）。糸種送信命令情報は、ミシン１が報知装置３０に第一糸種情報を送信することを命令するための情報である。糸種送信命令情報が受信されていない場合（Ｓ３２：ＮＯ）、処理はステップＳ３１に戻る。
【００６３】
糸種送信命令情報が受信された場合（Ｓ３２：ＹＥＳ）、第一糸種情報記憶領域３１１２に記憶されている第一糸種情報が、ミシン１に送信される（Ｓ３８）。送信された第一糸種情報は、ミシン１で実行されるステップＳ８４（図２１参照）で受信される。ステップＳ３８が実行された後、処理はステップＳ３１に戻る。なお、上述のステップＳ４４、ステップＳ６５、ステップＳ８１、ステップＳ８３、ステップＳ８４、及びステップＳ８８の詳細については後述する。
【００６４】
第二糸種情報が受信された場合（Ｓ３１：ＹＥＳ）、ステップＳ３１で受信された第二糸種情報と、第一糸種情報記憶領域３１１２に記憶された第一糸種情報とが一致するか否かの照合が行われる（Ｓ３３）。言い換えると、報知装置３０が取り付けられた糸駒２９に巻回されている糸２８の種類が、第二糸種情報に一致するか否かが判断される。次いで、ステップＳ３３の結果に応じて、ステップＳ３１で受信された第二糸種情報と、第一糸種情報記憶領域３１１２に記憶された第一糸種情報とが一致するか否かが判断される（Ｓ３４）。第二糸種情報と第一糸種情報とが一致しない場合（Ｓ３４：ＮＯ）、処理はステップＳ３１に戻る。第二糸種情報と第一糸種情報とが一致する場合（Ｓ３４：ＹＥＳ）、ステップＳ３１で受信された第二糸種情報と共に、報知命令情報が受信されているか否かが判断される（Ｓ３５）。報知命令情報とは、糸駒２９の位置をユーザに報知することを、報知装置３０に命令するための情報である。報知命令情報は、ミシン１で実行されるステップＳ８１（図２１参照）で、第二糸種情報と共に送信される。
【００６５】
報知命令情報が受信された場合（Ｓ３５：ＹＥＳ）、所定時間の間、発光部３０３が発光される（Ｓ３６）。例えば、ステップＳ３１で受信された第二糸種情報が「４０５」である場合、第一糸種情報が「４０５」である報知装置３０の発光部３０３が発光する。これによって、図１５に示すように、糸駒２９１に取り付けられた報知装置３０の発光部３０３が発光され（Ｓ３６）、ユーザに向けて糸駒２９１の位置が報知される。なお、この場合、糸駒２９２〜２９６に取り付けられた報知装置３０では、第二糸種情報と第一糸種情報とが一致しないため（Ｓ３４：ＮＯ）、ステップＳ３６が実行されず、発光部３０３は、発光しない。
【００６６】
図１５に示すように、発光部３０３は、報知装置３０の外周面に設けられているため、糸駒２９２が糸駒２９１の上に置かれている場合でも、発光部３０３は、外部から視認可能である。このため、ユーザは、確実に糸駒２９１の位置を確認することができる。ステップＳ３６が実行された後、処理はステップＳ３１に戻る。
【００６７】
報知命令情報が受信されていない場合（Ｓ３５：ＮＯ）、第二糸種情報と第一糸種情報とが一致したことを示す情報である一致情報が、ミシン１に対して送信される（Ｓ３７）。これによって、ミシン１に対して、縫製に必要な糸種（糸駒）が存在することが報知される。なお、ステップＳ３７で送信される一致情報には、第一糸種情報記憶領域３１１２に記憶されている第一糸種情報が含まれている。ステップＳ３７が実行された後、処理はステップＳ３１に戻る。
【００６８】
図１６を参照して、ミシン１のＣＰＵ６１によるメイン処理について説明する。メイン処理は、ユーザによって、刺繍を行う刺繍模様を選択するための画面を表示する指示が入力されたことによって開始される。
【００６９】
図１６に示すように、まず、縫製種類情報データテーブル９６（図９参照）に記憶されている縫製種類情報に基づく刺繍模様の画像の一覧が、液晶ディスプレイ１５に表示される（Ｓ４１）。ユーザは、パネル操作によって液晶ディスプレイ１５に表示された複数の刺繍模様の画像の中から所望の刺繍模様を選択することで、縫製種類情報を仮選択する。次いで、縫製種類情報が仮選択されたか否かが判断される（Ｓ４２）。縫製種類情報が仮選択された場合（Ｓ４２：ＹＥＳ）、選択された縫製種類情報が参照され、刺繍模様を縫製するための糸種の一覧である縫製糸種データテーブル９７が作成される（Ｓ４３）。
【００７０】
例えば、第一刺繍情報（図９参照）が選択された場合、縫製糸種データテーブル９７が図１７に示すように作成される。図１７に示すように、図９に刺繍種類情報「第一刺繍情報」に対応付けられている縫製順と第二糸種情報とが、縫製糸種データテーブル９７となる。
【００７１】
ステップＳ４３が実行された後、アンテナ２７を介して、通信可能範囲にある全ての報知装置３０に対して、第二糸種情報が送信される（Ｓ４４）。例えば、図１７に示す縫製糸種データテーブル９７（図１７参照）に記憶されている第二糸種情報「８００」、「３３９」、及び「９００」が送信される（Ｓ４４）。送信された第二糸種情報は、報知装置３０が実行するステップＳ３１（図１４参照）で受信される。
【００７２】
次いで、報知装置が実行するステップＳ３７（図１４参照）で送信される一致情報が受信される（Ｓ４５）。次いで、所定時間が経過したか否かがが判断される（Ｓ４６）。所定時間は例えば、３秒である。所定時間が経過していない場合（Ｓ４６：ＮＯ）、処理はステップＳ４５に戻る。ステップＳ４５及びＳ４６の処理によって、第二糸種情報に合致する報知装置３０から送信される複数の一致情報が受信される。
【００７３】
所定時間が経過した場合（Ｓ４６：ＹＥＳ）、縫製糸種データテーブル９７に第二糸種情報が記憶されている全て糸種に対応する一致情報が受信されたか否かが判断される（Ｓ４７）。全ての糸種に対応する一致情報が受信された場合とは、ステップＳ４２で仮選択された刺繍模様を縫製するための全ての糸種（糸駒）が、ミシン１の近く（通信可能範囲）に存在していることを示している。一方、一致情報が受信されていない糸種がある場合とは、刺繍模様を縫製するための糸種のうち、ミシン１の近くには糸種（糸駒）が無いことを示している。言い換えると、不足している糸種（糸駒）があることを示している。なお、ステップＳ４５で受信される一致情報には、一致情報を送信した報知装置３０の第一糸種情報記憶領域３１１２に記憶されている第一糸種情報が含まれている。このため、ミシン１のＣＰＵ６１は、どの糸種の一致情報が受信されているかを判断することができる。全ての糸種の一致情報が受信された場合（Ｓ４７：ＹＥＳ）、処理はステップＳ４９（後述）に進む。
【００７４】
一致情報が受信されていない糸種がある場合（Ｓ４７：ＮＯ）、液晶ディスプレイ１５にミシン１の近くには糸種（糸駒）が無いことを示すメッセージが表示され、ユーザに向けて報知される（Ｓ４８）。ステップＳ４８で液晶ディスプレイ１５に表示されるメッセージは、例えば、「不足している糸駒があります。」である
【００７５】
次いで、ユーザのパネル操作によって、縫製を行う刺繍種類情報が決定されたか否かが判断される（Ｓ４９）。つまり、ステップＳ４２で仮選択された刺繍種類情報でよいか否かが判断される。刺繍種類情報が決定されていない場合（Ｓ４９：ＮＯ）、処理はステップＳ４２に戻る。なお、ステップＳ４２で、刺繍種類情報が仮選択されていない場合（Ｓ４２：ＮＯ）、ステップＳ４９に移行する。
【００７６】
刺繍種類情報が決定された場合（Ｓ４９：ＹＥＳ）、刺繍種類情報に基づく刺繍模様の画像が、液晶ディスプレイ１５に表示される（Ｓ５０）。例えば、第一刺繍情報が決定された場合（Ｓ４９：ＹＥＳ）、図１０に示すように、刺繍模様表示領域１５１に刺繍模様「ＡＢＣ」が表示される。また、糸色表示領域１５２に糸駒表示１５３と糸色表示１５４とが表示される。
【００７７】
次いで、ステップＳ４９で決定された刺繍種類情報について、全ての糸種の一致情報がステップＳ４５で受信されたか否かが判断される（Ｓ５１）。受信されている場合（Ｓ５１：ＹＥＳ）、すなわち、縫製に必要な糸種（糸駒）が全て存在する場合、処理はステップＳ５３（後述）に進む。受信されていない場合（Ｓ５１：ＮＯ）、すなわち、縫製に必要な糸種（糸駒）が不足している場合、近似色置換処理が実行される（Ｓ５２）。
【００７８】
図１８を参照して近似色置換処理について説明する。近似色置換処理は、不足している糸種の糸色に近似する糸種を特定し、縫製糸種データテーブル９７を更新する処理である。
【００７９】
図１８に示すように、まず、ステップＳ４５で一致情報が受信されなかった糸種の一覧のデータテーブルである未受信糸種データテーブル９８が作成される（Ｓ６１）。例えば、図１７において、第二糸種情報「８００」の糸２８が無い場合、図１９に示すように、第二糸種情報「８００」が記憶された未受信糸種データテーブル９８が作成される。
【００８０】
次いで、未受信糸種データテーブル９８に記憶されている第二糸種情報のうちの１つが選択される（Ｓ６２）。次いで、変数Ｐが１に設定される（Ｓ６３）。なお、変数ＰはＲＡＭ６３に記憶される。次いで、ステップＳ６２で選択された第二糸種情報が示す糸色に近似した糸色が算出され、算出された糸色に対応する第二糸種情報が特定される（Ｓ６４）。
【００８１】
ステップＳ６４について詳述する。前述したように、糸種データテーブル９５（図８参照）では、糸色を色の名称で示しているが、実際にはＲＧＢ値が記憶されている。ＲＧＢ値を使用することによって、糸色の近似度Ｄを算出することができる。ここで、ステップＳ６２で選択された第二糸種情報が示す糸色のＲＧＢ値を（Ｒ１，Ｇ１，Ｂ１）とし、近似度を求める糸種のＲＧＢ値を（Ｒ２，Ｇ２，Ｂ２）とする。この近似度Ｄは、例えば、下記のような計算式で算出される。
Ｄ＝（Ｒ２−Ｒ１）２＋（Ｇ２−Ｇ１）２＋（Ｂ２−Ｂ１）２
【００８２】
ここで、算出された近似度Ｄが小さいほど両者の色が近く、その近似度が高いことになる。ステップＳ６４では、糸種データテーブル９５の全ての糸種について、その糸色と、ステップＳ６２で選択された第二糸種情報が示す糸色との近似度が算出される。そして、近似度Ｄが最も小さい糸色に対応する糸種情報が、近似色の第二糸種情報として特定される。
【００８３】
例えば、図１９に示す第二糸種情報「８００」（つまり、糸色「ＰＩＮＫ」の糸２８の第二糸種情報。）が、ステップＳ６２で選択された場合、糸種データテーブル９５（図８参照）に記憶されている糸種情報のうち、「ＰＩＮＫ」に最も近似度Ｄが近いものは、「ＳＡＬＭＯＮ−ＰＩＮＫ」である。このため、「ＳＡＬＭＯＮ−ＰＩＮＫ」の糸種情報「４０５」が、第二糸種情報として特定される（Ｓ６４）。
【００８４】
ステップＳ６４が実行された後、ステップＳ６４で特定された第二糸種情報が報知装置３０に送信される（Ｓ６５）。ステップＳ６５で送信された第二糸種情報は、報知装置３０が実行するステップＳ３１（図１４参照）で受信される。次いで、報知装置３０が実行するステップＳ３７で送信される一致情報が受信されたか否かが判断される（Ｓ６６）。次いで、所定時間（例えば、３秒）が経過したか否かが判断される（Ｓ６７）。所定時間が経過していない場合（Ｓ６７：ＮＯ）、処理はステップＳ６６に戻る。
【００８５】
所定時間が経過した場合（Ｓ６７：ＹＥＳ）、ステップＳ６６で一致情報が受信されたか否かが判断される（Ｓ６８）。言い換えると、ステップＳ６５で送信された第二糸種情報が示す糸種が存在するか否かが判断される。一致情報が受信された場合（Ｓ６８：ＹＥＳ）、縫製糸種データテーブル９７において、ステップＳ６２で選択された糸種の第二糸種情報が、ステップＳ６４で特定された第二糸種情報に更新される（Ｓ６９）。例えば、図１７に示す縫製糸種データテーブル９７が、図２０に示すように更新される。図２０では、糸色「ＰＩＮＫ」の第二糸種情報「８００」（図１７参照）が、糸色「ＳＡＬＭＯＮ−ＰＩＮＫ」の第二糸種情報「４０５」に更新されている。
【００８６】
次いで、未受信糸種データテーブル９８からステップＳ６２で選択された第二糸種情報が削除される（Ｓ７０）。これによって、例えば、図１９に示す未受信糸種データテーブル９８に記憶されている第二糸種情報「８００」が削除される。次いで、未受信糸種データテーブル９８に記憶されている第二糸種情報があるか否かが判断される（Ｓ７７）。未受信糸種データテーブル９８に記憶されている第二糸種情報がある場合（Ｓ７７：ＹＥＳ）、処理はステップＳ６２に戻り、新たに第二糸種情報が選択される（Ｓ６２）。
【００８７】
ステップＳ６８において、一致情報が受信されていない場合（Ｓ６８：ＮＯ）、変数Ｐが所定の数と同一であるか否かが判断される（Ｓ７１）。所定の数は、例えば「２」である。変数Ｐが所定の数と同一でない場合（Ｓ７１：ＮＯ）、変数Ｐがインクリメントされ、１増加する（Ｓ７２）。次いで、処理はステップＳ６４に戻る。この場合、ステップＳ６４では、直前にステップＳ６４で特定された第二糸種情報が示す糸色に近似した糸色が算出され、算出された糸色に対応する第二糸種情報が特定される。つまり、変数Ｐが所定の数と同一になるまで（Ｓ７１：ＹＥＳ）、または、一致情報が受信されるまで（Ｓ６８：ＹＥＳ）、ステップＳ６４〜Ｓ６８が繰り返され、ステップＳ６２で選択された第二糸種情報が示す糸色に近い色から順に第二糸種情報が特定され（Ｓ６４）、特定された第二糸種情報が報知装置３０に送信される（Ｓ６５）。言い換えると、ステップＳ６２で選択された第二糸種情報が示す糸色に近似した糸色の糸２８が捜索される。
【００８８】
変数Ｐが所定の数と同一の場合（Ｓ７１：ＹＥＳ）、近似色の糸種（糸駒）が、周囲に無い旨のメッセージが液晶ディスプレイ１５に表示され（Ｓ７３）、ユーザに向けて報知される。ステップＳ７３で表示されるメッセージは、例えば、「近似色がありません。縫製を続行しますか？」である。また、ステップＳ７３では、例えば、縫製を続行する指示をパネル操作によって受け付けるためのボタンと、縫製を中止する指示をパネル操作によって受け付けるためのボタンが表示される。
【００８９】
次いで、パネル操作によって、縫製を続行する指示、又は、縫製を中止する指示が入力されたか否かが判断される（Ｓ７４）。指示が入力されていない場合（Ｓ７４：ＮＯ）、処理はステップＳ７４に戻る。
【００９０】
指示が入力された場合（Ｓ７４：ＹＥＳ）、ステップＳ７４の処理において、縫製を続行する指示が入力されたか否かが判断される（Ｓ７５）。縫製を中止する指示が入力された場合（Ｓ７５：ＮＯ）、近似色置換処理とメイン処理とが終了される。縫製を続行する指示が入力された場合（Ｓ７５：ＹＥＳ）、未受信糸種データテーブル９８からステップＳ６２で選択された第二糸種情報が削除される（Ｓ７６）。次いで、処理はステップＳ７７に進む。未受信糸種データテーブル９８に記憶されている第二糸種情報がない場合（Ｓ７７：ＮＯ）、処理はメイン処理（図１６参照）に戻る。
【００９１】
次いで、縫製糸種データテーブル９７に記憶されている第二糸種情報の数が、変数Ｍに設定される（Ｓ５３）。例えば、図２０の場合、変数Ｍは「３」に設定される。次いで、変数Ｎが１に設定される（Ｓ５４）。次いで、糸駒装着処理が実行される（Ｓ５５）。
【００９２】
図２１を参照して、糸駒装着処理について説明する。糸駒装着処理は、縫製を行う順に報知装置３０に糸駒２９の位置を報知させ、装着された糸駒２９によって画像を更新する処理である。
【００９３】
図２１に示すように、まず、縫製糸種データテーブル９７の縫製順がＮ番目の第二糸種情報と、報知命令情報とが報知装置３０に送信される（Ｓ８１）。言い換えると、縫製に使用される糸駒２９が捜索される。ステップＳ８１で送信された第二糸種情報と報知命令情報とは、報知装置３０が実行するステップＳ３１（図１４参照）で受信される。そして、報知命令情報が受信されたと判断され（Ｓ３５：ＹＥＳ）、発光部３０３が所定時間（例えば、３秒）の間発光されてユーザに向けて報知される（Ｓ３６）。これによって、ユーザは縫製に使用する糸駒２９の位置を認識することができる。
【００９４】
例えば、変数Ｎが「１」の場合、縫製糸種データテーブル９７（図２０参照）の縫製順「１」の第二糸種情報「４０５」と報知命令情報とが報知装置３０に送信される（Ｓ８１）。そして、図１５に示すように、第二糸種情報が「４０５」である報知装置３０が発光される（Ｓ３６）。これによって、糸色「ＳＡＬＭＯＭ−ＰＩＮＫ」の糸２８が巻回された糸駒２９１の位置が、ユーザに向けて報知される。よって、ユーザは、縫製に必要な糸駒２９１の位置を容易に認識することができる。
【００９５】
次いで、糸駒２９が、糸立棒１９に装着されたか否かが判断される（Ｓ８２）。ステップＳ８２では、リーダライタ８１を介して報知装置３０が検出されることで、糸駒２９が糸立棒１９に装着されたか否かが判断される。糸駒２９が糸立棒１９に装着されていない場合（Ｓ８２：ＮＯ）、処理はステップＳ８１に戻る。つまり、糸駒２９が糸立棒１９に装着されるまで、第二糸種情報と報知命令情報とが繰り返し送信され（Ｓ８１）、報知装置３０によってユーザに向けて報知される（図１４のＳ３６参照）。
【００９６】
糸駒２９が糸立棒１９に装着された場合（Ｓ８２：ＹＥＳ）、リーダライタ８１を介して、糸種送信命令情報が報知装置３０に送信される（Ｓ８３）。ステップＳ８３で送信された糸種送信命令情報は、報知装置３０で受信され（図１４のＳ３２：ＹＥＳ）、報知装置３０から第一糸種情報が送信される（Ｓ３８）。例えば、糸駒２９１（図１５参照）とその報知装置３０とが糸立棒１９に装着された場合、第一糸種情報「４０５」が送信される（Ｓ３８）。
【００９７】
ステップＳ８３が実行された後、報知装置３０のステップＳ３８（図１４参照）で送信された第一糸種情報が受信されたか否かが判断される（Ｓ８４）。第一糸種情報が受信されていない場合（Ｓ８４：ＮＯ）、処理はステップＳ８４に戻る。第一受信情報が受信された場合（Ｓ８４：ＹＥＳ）、ステップＳ８４で受信された第一糸種情報と、ステップＳ８１で送信された第二糸種情報とが一致するか否かが判断される（Ｓ８５）。言い換えると、ステップＳ８１で送信した第二糸種情報が示す糸種と同一の糸種の糸２８が巻回された糸駒２９が装着されたか否かが判断される。第一糸種情報と第二糸種情報とが一致しない場合とは、例えば、ユーザが取り付ける糸駒２９を誤った場合や、別の糸駒２９で縫製することを望む場合である。第一糸種情報と第二糸種情報とが一致した場合（Ｓ８５：ＹＥＳ）、液晶ディスプレイ１５に表示されている刺繍模様の糸色が、ステップＳ８４で送信された第二糸種情報に対応する糸色に更新される。
【００９８】
例えば、Ｎ＝１の場合に、図２０の第二糸種情報「４０５」が送信され、糸駒２９１（図１５参照）が糸立棒１９に装着された場合、第一糸種情報「４０５」と第二糸種情報「４０５」とが一致すると判断される（Ｓ８５：ＹＥＳ）。そして、図１０に示す液晶ディスプレイ１５上の表示が、図２２に示すように更新される。図２２に示すように、刺繍模様「ＡＢＣ」の模様「Ａ」糸色が、「ＳＡＬＭＯＮ−ＰＩＮＫ」に更新される。ステップＳ８６が実行された後、糸駒装着処理が終了され、メイン処理のステップＳ５６が行われる。
【００９９】
第一糸種情報と第二糸種情報とが一致しなかった場合（Ｓ８５：ＮＯ）、異なる糸駒２９がミシン１に取り付けられた旨を示すメッセージが液晶ディスプレイ１５に表示され、ユーザに向けて報知される（Ｓ８７）。ステップＳ８７で液晶ディスプレイ１５に表示されるメッセージは、例えば、「異なる種類の糸駒が取り付けられています。このまま縫製を続行しますか？」である。また、ステップＳ８７では、例えば、縫製を続行する指示をパネル操作によって受け付けるためのボタンと、糸立棒１９に装着されている糸駒２９を交換する指示をパネル操作によって受け付けるためのボタンが表示される。
【０１００】
次いで、パネル操作によって、縫製を続行する指示、又は、糸立棒１９に装着されている糸駒２９を交換する指示が入力されたか否かが判断される（Ｓ８８）。指示が入力されていない場合（Ｓ８８：ＮＯ）、処理はステップＳ８８に戻る。指示が入力された場合（Ｓ８８：ＹＥＳ）、ステップＳ８８で、縫製を続行する指示が入力されたか否かが判断される（Ｓ８９）。糸立棒１９に装着されている糸駒２９を交換する指示である場合には、縫製を続行する指示が入力されていないと判断され（Ｓ８９：ＮＯ）、処理はステップＳ８１に戻る。これによって、ユーザに糸駒２９の位置を再報知することができる（図１４のＳ３６参照）。
【０１０１】
縫製を続行する指示が入力された場合（Ｓ８９：ＹＥＳ）、糸種データテーブル９５（図８参照）が参照され、ステップＳ８４で受信された第一糸種情報が示す糸色が特定される（Ｓ９０）。言い換えると、現在糸立棒１９に装着されている糸駒２９に巻回されている糸２８の糸色が特定される。次いで、液晶ディスプレイ１５に表示されている縫製模様の糸色が、ステップＳ９０で特定された糸色に変更される（Ｓ９１）。例えば、Ｎ＝２の場合に、糸色「ＢＬＵＥ」の糸２８が巻回された糸駒２９６（図１３参照）ではなく、糸色「ＧＲＥＥＮ」の糸２８が巻回された糸駒２９２（図１３参照）が、糸立棒１９に装着されたとする。この場合、図２３に示すように、刺繍模様「ＡＢＣ」の模様「Ｂ」の色が「ＧＲＥＥＮ」に変更される。
【０１０２】
次いで、糸駒装着処理が終了され、メイン処理（図１６参照）に戻り、縫製開始の指示が入力されたか否かが判断される（Ｓ５６）。ユーザは、縫製開始・停止スイッチ２１を押下することによって、縫製開始の指示を入力する。なお、例えば、ステップＳ８６又はＳ９１（図２１参照）で、液晶ディスプレイ１５に表示された画像を確認したユーザが糸色を変更したいと考えた場合に、パネル操作によって指示を入力することで再度糸駒装着処理（Ｓ５５）が実行されるようにしてもよい。
【０１０３】
縫製開始の指示が入力されていない場合（Ｓ５６：ＮＯ）、処理はステップＳ５６に戻る。縫製開始の指示が入力された場合（Ｓ５６：ＹＥＳ）、縫製が実行される（Ｓ５７）。例えば、Ｎ＝１である場合に、糸立棒１９に糸駒２９１が装着された場合、糸色「ＳＡＭＯＮ−ＰＩＮＫ」の糸２８が使用されて、刺繍模様「Ａ」が加工布１００に縫製される。次いで、変数Ｍと変数Ｎとが等しいか否かが判断される（Ｓ５８）。言い換えると、刺繍模様の縫製が全て終了したか否かが判断される。変数Ｍと変数Ｎとが等しくない場合（Ｓ５８：ＮＯ）、変数Ｎがインクリメントされ、１増加する（Ｓ５９）。次いで、ステップＳ５５に戻り、処理が繰り返され、例えば、図２３に示す刺繍模様「ＡＢＣ」が、加工布１００に縫製される。つまり、刺繍縫製が完了する。この場合、変数Ｎは、「３」となり、変数Ｍと等しくなる。変数Ｎと変数Ｍが等しい場合（Ｓ５８：ＹＥＳ）、メイン処理が終了される。
【０１０４】
以上説明したように、本実施形態におけるメイン処理が実行される。本実施形態では、ステップＳ３４（図１４参照）で、第一糸種情報と第二糸種情報とが一致すると判断された場合に（Ｓ３４：ＹＥＳ）、発光部３０３が発光されて、ユーザに向けて報知される（Ｓ３６）。つまり、糸駒２９に巻回された糸２８の種類が、ミシン１が縫製を実行するのに必要な糸２８の種類と一致する場合に、ユーザに向けて報知される。これによって、縫製に必要な糸２８が巻回された糸駒２９の位置をユーザに報知することができる。このため、ユーザは、縫製に必要な糸駒２９の位置を容易に確認することができる。よって、ユーザの利便性が向上する。
【０１０５】
また、報知装置３０を糸駒２９に取り付けた状態で、糸立棒１９に装着可能である。よって、縫製を行う場合に、報知装置３０を糸駒２９から取り外す必要がなく、ユーザの利便性が向上する。
【０１０６】
また、報知装置３０は、糸駒２９に対して取り付け及び取り外し可能である。このため、糸駒２９に巻回された糸２８が消費されて無くなった場合に、報知装置３０を糸駒２９から取り外し、他の糸駒２９に報知装置３０を取り付けることができる。このため、ユーザは、報知装置３０を一度購入すれば、何度でも繰り返して報知装置３０を使用することができる。
【０１０７】
また、例えば、報知装置３０が取り付けられる糸駒２９に巻回されている糸２８の種類が変わった場合でも、図１１のステップＳ１３や図１２のステップＳ２２の処理によって、変更された種類に応じて報知装置３０に記憶されている第一糸種情報を変更することができる。つまり、糸駒２９に巻回された糸２８の種類に応じて、第一糸種情報を書き換えることができる。よって、様々な種類の糸２８が巻回された糸駒２９に、報知装置３０を取り付けることができる。
【０１０８】
また、報知装置３０は、ステップＳ３７（図１４参照）によって、第一糸種情報と第二糸種情報とが一致したことをミシン１に対して報知することができる。このため、ミシン１は、図１６のステップＳ４７、ステップＳ５１、図１８のステップＳ６８等の処理によって、縫製に必要な糸２８の有無を確認することができる。また、ミシン１は、図２１のステップＳ８５の処理によって、異なる糸駒２９が糸立棒１９に装着されたことを検出することができる。
【０１０９】
また、報知装置３０の発光部３０３を発光させることで、糸駒２９の位置をユーザに向けて報知することができる（図１４のＳ３６）。よって、ユーザは、容易に糸駒２９の位置を視認することができる。
【０１１０】
また、ミシン１は、縫製順に応じた順番で、第二糸種情報を送信する（図２１のＳ８１参照）。そして、第二糸種情報と第一糸種情報とが一致したときに、報知装置３０が実行するステップＳ３６の処理（図１４参照）で、ユーザに向けて報知される。このため、刺繍模様を縫製する際に必要な糸２８が巻回された糸駒２９の位置を、縫製を行う順番で、ユーザに向けて報知することができる。ユーザは、報知された順番に、糸駒２９をミシン１に装着して、刺繍模様の縫製を行うことができる。このため、ユーザの利便性が向上する。
【０１１１】
また、図１６のステップＳ５１や図１８のステップＳ６８等の処理で一致情報が受信されていないと判断される場合とは、送信された第二糸種情報に対応する糸駒２９が無い場合である。この場合、近似した糸色に対応した第二糸種情報が新たに特定され（図１８のＳ６５）、新たに特定された第二糸種情報が報知装置３０に送信される（図１８のＳ６５）。そして、近似した糸色の糸２８が巻回された糸駒２９の報知装置３０によって報知される（図１４のＳ３６）。つまり、縫製に使用される糸２８が巻回された糸駒２９が無い場合に、近似した糸色の糸２８が巻回された糸駒２９の位置をユーザに向けて報知することができる。このため、ユーザは、近似した糸２８が巻回された糸駒２９を自分で探す必要がない。よって、ユーザの利便性が向上する。
【０１１２】
また、着脱部３０５は、弾性変形可能なバネ材料からなり、下方向ほど外側に拡がる形状に形成されているので、糸立棒挿通孔２９８の内径がある程度異なる糸駒２９であっても、報知装置３０を糸駒２９に装着することが可能である。また、着脱部３０５の形状やバネ材料のバネ定数を適宜変更してもよいことは言うまでもない。つまり、市場に流通している種々の糸駒２９に、報知装置３０を取り付けることができる。また、着脱部３０５は、線材ではなく薄板バネで形成してもよい。また、金属のバネ材料ではなく、弾性変形可能な樹脂材料（例えば、ポリアセタール）を採用することもできる。また、着脱部３０５として両面粘着テープを用い、糸駒２９に貼りつけてもよい。
【０１１３】
上記実施形態において、発光部３０３が本発明の「報知手段」に相当し、第一糸種情報記憶領域３１１２が本発明の「糸種情報記憶手段」に相当する。図１４のステップＳ３１の処理を行う制御部３１０が本発明の「糸種情報受信手段」に相当し、図１４のステップＳ３３及びＳ３４の処理を行う制御部３１０が本発明の「糸種情報判断手段」に相当する。図１４のステップＳ３６の処理を行う制御部３１０が本発明の「報知制御手段」に相当し、孔部３０２が本発明の「孔部」に相当する。着脱部３０５が本発明の「着脱手段」に相当し、図１４のステップＳ３７の処理を行う制御部３１０が本発明の「一致情報送信手段」に相当する。
【０１１４】
図１１のステップＳ１３の処理を行うＣＰＵ６１が本発明の「書き換え手段」に相当し、縫製種類情報記憶領域６２３が本発明の「縫製情報記憶手段」に相当する。図１６のステップＳ４９の処理を行うＣＰＵ６１が本発明の「選択手段」に相当し、図１６のステップＳ４４、図１８のステップＳ６５、及び図２１のステップＳ８１で第二糸種情報を送信する処理を行うＣＰＵ６１が本発明の「糸種情報送信手段」に相当する。縫製種類情報データテーブル９６等に記憶されている縫製順が本発明の「順番情報」に相当し、図１６のステップＳ４５及び図１８のステップＳ６６の処理を行うＣＰＵ６１が本発明の「一致情報受信手段」に相当する。図１６のステップＳ５１及び図１８のステップＳ６８の処理を行うＣＰＵ６１が、本発明の「一致情報判断手段」に相当し、図１８のステップＳ６４の処理を行うＣＰＵ６１が、本発明の「近似色特定手段」に相当する。
【０１１５】
なお、本発明は上記の実施形態に限定されるものではなく、種々の変更が可能である。発光部３０３は、報知装置３０の外周面３０４に設けられていたが、これに限定されない。ユーザが視認可能な位置であれば、特に位置は限定されない。
【０１１６】
また、例えば、発光部３０３が発光することで、ユーザに向けて報知されていたが、これに限定されない。例えば、発光部３０３の代わりに、薄型のスピーカやブザーを報知装置３０に設けて、音によってユーザに向けて報知してもよい。また、振動部材を報知装置３０に設けて、振動によってユーザに向けて報知してもよい。また、文字等を表示することが可能な表示装置を報知装置３０に設けて、文字等を表示することによって、ユーザに向けて報知してもよい。
【０１１７】
また、報知装置３０の形状は、円盤形状であったが、これに限定されない。例えば、角柱状であってもよい。
【０１１８】
また、縫製種類情報データテーブル９６（図９参照）に記憶されている縫製種類情報は、刺繍模様を縫製するための情報であったが、縫製の種類は、刺繍模様に限定されない。例えば、送り歯により加工布を移動させて通常縫製を行う場合、加工布として例えば、ジョーゼットなどの薄地、ブロードなどの普通地、デニムなどの厚地、ジャージなどの伸縮地を、それぞれ縫製するための縫製種類情報が設定され、その縫製種類情報に応じて、糸の材質や太さ（番手）などの糸種情報が対応付けられていてもよい。
【０１１９】
また、ステップＳ４１やＳ４９の処理（図１６参照）で選択される縫製種類情報は１つであったが、これに限定されない。例えば、複数の縫製種類情報が選択されてもよい。
【０１２０】
また、報知装置３０は、糸駒２９に着脱可能であったが、これに限定されない。例えば、糸駒２９と一体に形成されてもよい。
【０１２１】
また、報知装置３０に記憶されている第一糸種情報は、ミシン１によって書き換え可能であったが、これに限定されない。例えば、ミシン１によって書き換え不可でもあってもよい。この場合、メーカの工場内で予め報知装置３０に第一糸種情報が記憶されて、市場に出荷されてもよい。
【０１２２】
また、報知装置３０が取り付けられる糸駒２９は、図３に示す形状のものに限定されない。例えば、糸駒２９の上端及び下端にフランジ部が無いものであってもよい。
【０１２３】
また、報知装置３０は、孔部３０２を備えていたが、これに限定されない。例えば、孔部３０２を備えなくてもよい。この場合、例えば、糸駒２９の上面又は下面の一部に報知装置３０を取り付けることができるようにしてもよい。
【０１２４】
また、報知装置３０に電池３１６が設けられていたが、これに限定されない。例えば、電池３１６が設けられていなくてもよい。この場合、例えば、アンテナ３１４によって受信された搬送波を整流した後、整流された搬送波のエネルギを電源部３１５に蓄積させ、報知装置３０の各回路の駆動電源としてもよい。
【０１２５】
また、糸駒２９及び報知装置３０は、ミシン１が有する糸立棒１９に装着されていたが、これに限定されない。例えば、図２４に示す、複数の糸駒２９を載置するための糸立装置５０が有する糸立棒５０９に装着されてもよい。糸立装置５０について詳述する。以下の説明では、図２４の紙面上側、下側、右側、左側を、それぞれ糸立装置５０の上側、下側、右側、左側とする。糸立装置５０は、ミシン１の近くに配置した状態で使用可能である。糸立装置５０には、複数の糸駒２９と報知装置３０とを着脱自在に装着することができる。
【０１２６】
糸立装置５０の下端部には、左右方向に長い略長方体状の基台５０６が設けられている。基台５０６は、糸立装置５０全体を支える。基台５０６の平面視中央には、上下方向に長い長方体状の角柱部５０７が立設されている。角柱部５０７の上端には、左右方向に長い長方体状の支持部材５０１が設けられている。支持部材５０１は、複数の糸駒２９と報知装置３０とを支持可能である。
【０１２７】
支持部材５０１には、複数の糸立棒５０９が設けられている。糸立棒５０９は、支持部材５０１から上方に向かって延びる。糸駒２９に取り付けられた報知装置３０と糸駒２９とは、糸立棒５０９に装着される。
【０１２８】
支持部材５０１の平面視中央には、支持部材５０１の上面から上方に向かって延びる、上下方向に伸縮可能なロッド状の部材である連結部材５０５が立設されている。連結部材５０５の上端には、左右方向に長い、正面視略矩形状の部材である第一ガイド部材５０２が設けられている。
【０１２９】
第一ガイド部材５０２の上端には、糸立棒５０９に装着された糸駒２９から上方に延びる糸２８を案内するガイド部５０８が複数設けられている。ガイド部５０８は、第一ガイド部材５０２の上端から中央にかけて、切り欠いて形成してある。また、支持部材５０１の前端部の上面には、第二ガイド部材５０３が設けられている。第二ガイド部材５０３は、ガイド部５０８から下方に延びる糸２８を案内するための孔が複数設けられている。ガイド部５０８及び第二ガイド部材５０３に案内された糸２８は、ミシン１に向かって延び、縫製に使用される。
【０１３０】
以上のように糸立装置５０が構成される。糸駒２９の糸立棒挿通孔２９８と報知装置３０の孔部３０２とが連通しているため、報知装置３０を糸駒２９に取り付けた状態で、糸立装置５０に装着することができる。このため、報知装置３０を糸駒２９から取り外す必要がない。よって、ユーザの利便性が向上する。
【符号の説明】
【０１３１】
１    ミシン
１９    糸立棒
２７    アンテナ
２８    糸
２９，２９１，２９４，２９５，２９６    糸駒
３０    報知装置
５０    糸立装置
６０    制御部
６１    ＣＰＵ
８１    リーダライタ
９５    糸種データテーブル
９６    縫製種類情報データテーブル
９７    縫製糸種データテーブル
１００    加工布
２９８    糸立棒挿通孔
３０２    孔部
３０３    発光部
３０４    外周面
３０５    着脱部
３１０    制御部
３１１    メモリ部
３１４    アンテナ
６２２    糸種情報記憶領域
６２３    縫製種類情報記憶領域
３１１２    第一糸種情報記憶領域
【図１】
2012165807.tif 000003
【図２】
2012165807.tif 000004
【図３】
2012165807.tif 000005
【図４】
2012165807.tif 000006
【図５】
2012165807.tif 000007
【図６】
2012165807.tif 000008
【図７】
2012165807.tif 000009
【図８】
2012165807.tif 000010
【図９】
2012165807.tif 000011
【図１１】
2012165807.tif 000012
【図１２】
2012165807.tif 000013
【図１４】
2012165807.tif 000014
【図１６】
2012165807.tif 000015
【図１７】
2012165807.tif 000016
【図１８】
2012165807.tif 000017
【図１９】
2012165807.tif 000018
【図２０】
2012165807.tif 000019
【図２１】
2012165807.tif 000020
【図２４】
2012165807.tif 000021
【図１０】
2012165807.tif 000022
【図１３】
2012165807.tif 000023
【図１５】
2012165807.tif 000024
【図２２】
2012165807.tif 000025
【図２３】
2012165807.tif 000026